(57)【特許請求の範囲】
【請求項１】
扉に錠箱が設けられ、該錠箱に前記扉の前端面から進退されるロック部材が備えられた施解錠装置において、
前記錠箱の屋外側に設けられ屋外側からのキー操作により前記ロック部材を進退させて施解錠を行う第一シリンダー錠と、
前記錠箱の屋外側に設けられ該第一シリンダー錠の施錠キー操作に連動して該第一シリンダー錠の回転を阻止する位置に移動されるスライドプレートと、
前記錠箱の屋外側に設けられ屋外側からの解錠キー操作により該スライドプレートを前記第一シリンダー錠の回転阻止位置から退避させる第二シリンダー錠と、
前記錠箱の屋内側に設けられ、施錠回転操作により前記ロック部材を突出させ且つ前記スライドプレートを前記第一シリンダー錠の回転阻止位置に移動させる一方、解錠回転操作により前記スライドプレートを前記回転阻止位置から退避させ且つ前記ロック部材を後退させるサムターンと、
を具備したことを特徴とする施解錠装置。
【請求項２】
扉に錠箱が設けられ、該錠箱に前記扉の前端面から進退されるロック部材が備えられた施解錠装置において、
前記錠箱の屋外側に設けられ屋外側からのキー操作により前記ロック部材を進退させて施解錠を行う第一シリンダー錠と、
前記錠箱の屋外側に設けられ該第一シリンダー錠の施錠キー操作に連動して該第一シリンダー錠の回転を阻止する位置に移動されるスライドプレートと、
前記錠箱の屋外側に設けられ屋外側からの解錠キー操作により該スライドプレートを前記第一シリンダー錠の回転阻止位置から退避させる第二シリンダー錠と、
前記錠箱の屋内側に設けられ、施錠回転操作により前記ロック部材を突出させ且つ前記スライドプレートを前記第一シリンダー錠の回転阻止位置に移動させる一方、解錠回転操作により前記スライドプレートを前記回転阻止位置から退避させ且つ前記ロック部材を後退させるサムターンと、
前記サムターンに連動連結され、外部からの電気信号に基づき、前記サムターンを回転させ施錠または解錠を行う回転制御部と、
を具備したことを特徴とする施解錠装置。
【請求項３】
扉に錠箱が設けられ、該錠箱に前記扉の前端面から進退されるロック部材が備えられた施解錠装置において、
前記錠箱の屋外側に設けられ屋外側からのキー操作により前記ロック部材を進退させて施解錠を行う第一シリンダー錠と、
前記錠箱の屋外側に設けられ該第一シリンダー錠の施錠キー操作に連動して該第一シリンダー錠の回転を阻止する位置に移動されるスライドプレートと、
前記錠箱の屋外側に設けられ屋外側からの解錠キー操作により該スライドプレートを前記第一シリンダー錠の回転阻止位置から退避させる第二シリンダー錠と、
前記錠箱の屋内側に設けられ、屋内側からのキーによる施錠回転操作により前記ロック部材を突出させ且つ前記スライドプレートを前記第一シリンダー錠の回転阻止位置に移動させる一方、キーによる解錠回転操作により前記スライドプレートを前記回転阻止位置から退避させ且つ前記ロック部材を後退させる屋内シリンダー錠と、
を具備したことを特徴とする施解錠装置。
【請求項４】
前記扉の屋内側に回転操作可能に設けられ一方の回転位置で前記スライドプレートに当接して該スライドプレートの前記回転阻止位置への移動を阻止する一方、他方の回転位置で前記スライドプレートに当接する位置から退避されて前記スライドプレートを前記回転阻止位置へ移動可能にする切替えダルマと、
を具備したことを特徴とする請求項１，２，３のいずれか１つに記載の施解錠装置。
【請求項５】
一方の回転位置で前記スライドプレートに当接して該スライドプレートの前記回転阻止位置への移動を阻止する一方、他方の回転位置で前記スライドプレートに当接する位置から退避されて前記スライドプレートを前記回転阻止位置へ移動可能にする切替えダルマと、
前記切替えダルマに連動連結され、外部からの電気信号に基づき、該切替えダルマを回転させる切替制御部と、
を具備したことを特徴とする請求項１，２，３のいずれか１つに記載の施解錠装置。
【請求項６】
一方の回転位置で前記スライドプレートに当接して該スライドプレートの前記回転阻止位置への移動を阻止する一方、他方の回転位置で前記スライドプレートに当接する位置から退避されて前記スライドプレートを前記回転阻止位置へ移動可能にする切替えダルマと、
前記錠箱の屋内側に設けられ、前記切替えダルマに連動連結され、屋内側からのキーによる回転操作にて、該切替えダルマを回転させる切替えシリンダー錠と、
を具備したことを特徴とする請求項１，２，３のいずれか１つに記載の施解錠装置。
【請求項７】
扉に錠箱が設けられ、該錠箱に前記扉の前端面から進退されるロック部材が備えられた施解錠装置の操作方法において、
屋外側からの施錠には、第一シリンダー錠のみをキー操作することで前記ロック部材を突出させて施錠すると同時に、該第一シリンダー錠の回転を規制してダブルロック状態に施錠し、
屋内側からの施錠には、サムターンのみを操作することで前記ロック部材を突出させて施錠すると同時に、前記第一シリンダー錠の回転を規制してダブルロック状態に施錠し、
屋外側からの解錠には、第二シリンダー錠のキー操作によって前記第一シリンダー錠の回転規制を解除した後、前記第一シリンダー錠をキー操作して前記ロック部材を後退させて解錠し、
屋内側からの解錠には、前記サムターンのみの回転操作により前記第一シリンダー錠の回転規制を解除すると同時に、前記ロック部材を後退させて解錠することを特徴とする施解錠装置の操作方法。
【請求項８】
扉に錠箱が設けられ、該錠箱に前記扉の前端面から進退されるロック部材が備えられた施解錠装置の操作方法において、
屋外側からの施錠には、第一シリンダー錠のみをキー操作することで前記ロック部材を突出させて施錠すると同時に、該第一シリンダー錠の回転を規制してダブルロック状態に施錠し、
屋内側からの施錠には、サムターンのみを操作することで前記ロック部材を突出させて施錠すると同時に、前記第一シリンダー錠の回転を規制してダブルロック状態に施錠し、
屋外側からの解錠には、第二シリンダー錠のキー操作によって前記第一シリンダー錠の回転規制を解除した後、前記第一シリンダー錠をキー操作して前記ロック部材を後退させて解錠し、
屋内側からの解錠には、前記サムターンのみの回転操作により前記第一シリンダー錠の回転規制を解除すると同時に、前記ロック部材を後退させて解錠し、
施錠状態の際に、外部からの電気信号により前記サムターンが回転され、解錠とし、
解錠状態の際に、外部からの電気信号により前記サムターンが回転され、施錠とすることを特徴とする施解錠装置の操作方法。
【請求項９】
扉に錠箱が設けられ、該錠箱に前記扉の前端面から進退されるロック部材が備えられた施解錠装置の操作方法において、
屋外側からの施錠には、第一シリンダー錠のみをキー操作することで前記ロック部材を突出させて施錠すると同時に、該第一シリンダー錠の回転を規制してダブルロック状態に施錠し、
屋内側からの施錠には、屋内シリンダー錠のみをキー操作することで前記ロック部材を突出させて施錠すると同時に、前記第一シリンダー錠の回転を規制してダブルロック状態に施錠し、
屋外側からの解錠には、第二シリンダー錠のキー操作によって前記第一シリンダー錠の回転規制を解除した後、前記第一シリンダー錠をキー操作して前記ロック部材を後退させて解錠し、
屋内側からの解錠には、前記屋内シリンダー錠のみのキー操作により前記第一シリンダー錠の回転規制を解除すると同時に、前記ロック部材を後退させて解錠することを特徴とする施解錠装置の操作方法。
【請求項１０】
前記第一シリンダー錠のキー操作を不能にするダブルロック状態への移行が規制されて前記第一シリンダー錠のみのキー操作によって前記ロック部材を突出させて施錠するシングルロック状態の施解錠モードに保持され、
該シングルロック状態の施解錠モードを解除操作することによって前記ダブルロック状態の操作モードに移行されることを特徴とする請求項７，８，９のいずれか１つに記載の施解錠装置の操作方法。
【請求項１１】
屋内側からのキーによる操作を行って、前記第一シリンダー錠のキー操作を不能にするダブルロック状態への移行が規制されて前記第一シリンダー錠のみのキー操作によって前記ロック部材を突出させて施錠するシングルロック状態の施解錠モードに保持され、
屋内側からのキーによる操作を行って、該シングルロック状態の施解錠モードを解除操作することによって前記ダブルロック状態の操作モードに移行されることを特徴とする請求項７，８，９のいずれか１つに記載の施解錠装置の操作方法。
【請求項１２】
外部からの電気信号を受けることで、前記第一シリンダー錠のキー操作を不能にするダブルロック状態への移行が規制されて前記第一シリンダー錠のみのキー操作によって前記ロック部材を突出させて施錠するシングルロック状態の施解錠モードに保持され、
外部からの電気信号を受けることで、該シングルロック状態の施解錠モードを解除操作することによって前記ダブルロック状態の操作モードに移行されることを特徴とする請求項７，８，９のいずれか１つに記載の施解錠装置の操作方法。
【発明の詳細な説明】
【０００１】
【発明の属する技術分野】
本発明は、屋内側に一つのサムターンと、屋外側に二つのシリンダー錠とを備えた施解錠装置及びその操作方法に関するものである。
【０００２】
【従来の技術】
施解錠装置には、防犯性能を高めるために、一の扉に二つの錠前を設ける、所謂ワンドア２ロックシステムが従来より採用されている。従来、このワンドア２ロックシステムは、屋外側に２シリンダー、屋内側に２サムターンを装着する、すなわちそれぞれが単独で機能する施解錠装置を２つ設ける構成が一般的である。
このような従来の施解錠装置は、施錠箇所に種々の錠前を設けることができるので、バール等によるこじ開けを困難にし、防犯性能を高めることができる。
【０００３】
【発明が解決しようとする課題】
しかしながら、上述した従来の施解錠装置は、施錠箇所に種々の錠前を設けることができるので、バール等によるこじ開けには強いが、２つのサムターン又は２つのシリンダー錠を、それぞれに操作、すなわち２回操作しなければならず、煩雑である。
【０００４】
また、近年、マンションや住宅の玄関扉などの開閉体、あるいはこれら玄関扉などの開閉体の近傍における開口枠体（扉枠）の周囲である壁部分に、高級感や優美性を高める目的で、ガラス板を嵌め込んだ小窓付のものが多用されるようになってきている。ところが、このような開閉体の小窓や壁部分の小窓では、ガラス板が割られると、外部から、先端を鉤状に曲げた針金を挿入したり、手を差し入れることで、サムターンが不正に操作されてしまう虞れがある。
【０００５】
一般的に扉に多用される回転式のサムターンは、屋内側に露出する摘み部の翼体が水平状態である場合に施錠状態であり、この摘み部の翼板に針金の鉤状先端を掛止し、回転モーメントを与えることにより不正な解錠操作が可能となる。また、このようなサムターンは、上記した小窓の無い開閉体においても、針金を挿入する隙間や孔などが開閉体自体或いは壁部分等にあれば、同様に不正解錠される虞れがあった。
【０００６】
本発明は上記状況に鑑みてなされたもので、屋内側からは一つのサムターンで施解錠ができ、屋外側からは、施錠時は一つのシリンダーを操作し、解錠時は二つのシリンダーを操作する施解錠装置及びその操作方法を提供し、もって、防犯性能、利便性の向上を図ることを目的とする。
また、扉や扉周辺の小窓などからの不正なサムターンの操作による解錠などの屋内側からの容易な不正解錠を防止し、防犯性を向上することを目的としている。
さらに、扉の施錠忘れの防止など、その施錠操作や解錠操作を、遠隔操作にて可能とする施解錠装置及びその操作方法を提供することを目的とする。
【０００７】
【課題を解決するための手段】
次に、上記の課題を解決するための手段を、実施の形態に対応する図面を参照して説明する。
この発明の請求項１記載の施解錠装置は、扉３に錠箱Ａが設けられ、該錠箱Ａに前記扉３の前端面から進退されるロック部材が備えられた施解錠装置１において、
前記錠箱Ａの屋外側に設けられ屋外側からのキー操作により前記ロック部材を進退させて施解錠を行う第一シリンダー錠５と、
前記錠箱Ａの屋外側に設けられ該第一シリンダー錠５の施錠キー操作に連動して該第一シリンダー錠５の回転を阻止する位置に移動されるスライドプレート２５と、
前記錠箱Ａの屋外側に設けられ屋外側からの解錠キー操作により該スライドプレート２５を前記第一シリンダー錠５の回転阻止位置から退避させる第二シリンダー錠７と、
前記錠箱Ａの屋内側に設けられ、施錠回転操作により前記ロック部材を突出させ且つ前記スライドプレート２５を前記第一シリンダー錠５の回転阻止位置に移動させる一方、解錠回転操作により前記スライドプレート２５を前記回転阻止位置から退避させ且つ前記ロック部材を後退させるサムターン４５と、
を具備したことを特徴とする。
【０００８】
この施解錠装置１では、屋内側からサムターン４５が施錠回転操作されると、ロック部材が突出され、かつスライドプレート２５が第一シリンダー錠５の回転阻止位置に移動される。また、サムターン４５が解錠回転操作されると、スライドプレート２５が回転阻止位置から退避され且つロック部材が後退される。つまり、一つのサムターン４５の回転操作により、ダブルロックの施解錠が可能になる。
一方、屋外側からは、施錠時は一つの第一シリンダー錠５が操作されると、ロック部材が突出され且つスライドプレート２５が第一シリンダー錠５の回転阻止位置に移動される。また、解錠時は、先ず、第二シリンダー錠７によって、スライドプレート２５が回転阻止位置から退避され、次いで、第一シリンダー錠５によって、ロック部材が後退される。即ち、二つのシリンダー錠５，７の操作を必要とさせる。
【０００９】
請求項２記載の施解錠装置は、扉３に錠箱Ａが設けられ、該錠箱Ａに前記扉３の前端面から進退されるロック部材が備えられた施解錠装置１において、
前記錠箱Ａの屋外側に設けられ屋外側からのキー操作により前記ロック部材を進退させて施解錠を行う第一シリンダー錠５と、
前記錠箱Ａの屋外側に設けられ該第一シリンダー錠５の施錠キー操作に連動して該第一シリンダー錠５の回転を阻止する位置に移動されるスライドプレート２５と、
前記錠箱Ａの屋外側に設けられ屋外側からの解錠キー操作により該スライドプレート２５を前記第一シリンダー錠５の回転阻止位置から退避させる第二シリンダー錠７と、
前記錠箱Ａの屋内側に設けられ、施錠回転操作により前記ロック部材を突出させ且つ前記スライドプレート２５を前記第一シリンダー錠５の回転阻止位置に移動させる一方、解錠回転操作により前記スライドプレート２５を前記回転阻止位置から退避させ且つ前記ロック部材を後退させるサムターン４５と、
前記サムターン４５に連動連結され、外部からの電気信号に基づき、前記サムターン４５を回転させ施錠または解錠を行う回転制御部６１と、
を具備したことを特徴とする。
【００１０】
この施解錠装置１では、屋内側からサムターン４５が施錠回転操作されると、ロック部材が突出され、かつスライドプレート２５が第一シリンダー錠５の回転阻止位置に移動される。また、サムターン４５が解錠回転操作されると、スライドプレート２５が回転阻止位置から退避され且つロック部材が後退される。つまり、一つのサムターン４５の回転操作により、ダブルロックの施解錠が可能になる。
一方、屋外側からは、施錠時は一つの第一シリンダー錠５が操作されると、ロック部材が突出され且つスライドプレート２５が第一シリンダー錠５の回転阻止位置に移動される。また、解錠時は、先ず、第二シリンダー錠７によって、スライドプレート２５が回転阻止位置から退避され、次いで、第一シリンダー錠５によって、ロック部材が後退される。即ち、二つのシリンダー錠５，７の操作を必要とさせる。
また、施錠忘れや非常時などの際には、外部から電気信号を送ることで、回転制御部６１によりサムターン４５が回転し、施錠や解錠が行われることとなり、すなわち遠隔操作などにより電気信号を送ることで、サムターン４５が回転して、施錠状態から解錠、または解錠状態から施錠となる。
【００１１】
請求項３記載の施解錠装置は、扉３に錠箱Ａが設けられ、該錠箱Ａに前記扉３の前端面から進退されるロック部材が備えられた施解錠装置１において、
前記錠箱Ａの屋外側に設けられ屋外側からのキー操作により前記ロック部材を進退させて施解錠を行う第一シリンダー錠５と、
前記錠箱Ａの屋外側に設けられ該第一シリンダー錠５の施錠キー操作に連動して該第一シリンダー錠５の回転を阻止する位置に移動されるスライドプレート２５と、
前記錠箱Ａの屋外側に設けられ屋外側からの解錠キー操作により該スライドプレート２５を前記第一シリンダー錠５の回転阻止位置から退避させる第二シリンダー錠７と、
前記錠箱Ａの屋内側に設けられ、屋内側からのキーによる施錠回転操作により前記ロック部材を突出させ且つ前記スライドプレート２５を前記第一シリンダー錠５の回転阻止位置に移動させる一方、キーによる解錠回転操作により前記スライドプレート２５を前記回転阻止位置から退避させ且つ前記ロック部材を後退させる屋内シリンダー錠６３と、
を具備したことを特徴とする。
【００１２】
この施解錠装置では、屋内側から屋内シリンダー錠６３がキーにて施錠回転操作されると、ロック部材が突出され、かつスライドプレート２５が第一シリンダー錠５の回転阻止位置に移動される。また、屋内シリンダー錠６３がキーにて解錠回転操作されると、スライドプレート２５が回転阻止位置から退避され且つロック部材が後退される。つまり、一つの屋内シリンダー錠６３の回転操作により、ダブルロックの施解錠が可能になる。
一方、屋外側からは、施錠時は一つの第一シリンダー錠５が操作されると、ロック部材が突出され且つスライドプレート２５が第一シリンダー錠５の回転阻止位置に移動される。また、解錠時は、先ず、第二シリンダー錠７によって、スライドプレート２５が回転阻止位置から退避され、次いで、第一シリンダー錠５によって、ロック部材が後退される。即ち、二つのシリンダー錠５，７の操作を必要とさせる。
特に、屋内側の操作を、キーを用いる構成としていることから、屋内面にはサムターンの摘みなどが突出していない構造となり、不正操作が不可能となる。
【００１３】
請求項４記載の施解錠装置は、前記扉３の屋内側に回転操作可能に設けられ一方の回転位置で前記スライドプレート２５に当接して該スライドプレート２５の前記回転阻止位置への移動を阻止する一方、他方の回転位置で前記スライドプレート２５に当接する位置から退避されて前記スライドプレート２５を前記回転阻止位置へ移動可能にする切替えダルマ４４と、
を具備したことを特徴とする。
【００１４】
この施解錠装置１では、切替えダルマ４４が、出荷時等の通常の操作時以外の際に、一方の回転位置に配置されることで、スライドプレート２５に当接され、スライドプレート２５の回転阻止位置への移動が阻止される。従って、第一シリンダー錠５が回転規制されることがなくなり、第一シリンダー錠５のみで施解錠を行う、シングルロック状態となる。
一方、切替えダルマ４４が、引き渡し時等の通常の操作状態とする時に、他方の回転位置に配置されることで、スライドプレート２５に当接する位置から外れ、スライドプレート２５の回転阻止位置への移動が可能になる。従って、第一シリンダー錠５が施錠された際には、スライドプレート２５が第一シリンダー錠５の回転阻止位置に移動されるダブルロック状態となる。
【００１５】
請求項５記載の施解錠装置は、一方の回転位置で前記スライドプレート２５に当接して該スライドプレート２５の前記回転阻止位置への移動を阻止する一方、他方の回転位置で前記スライドプレート２５に当接する位置から退避されて前記スライドプレート２５を前記回転阻止位置へ移動可能にする切替えダルマ４４と、
前記切替えダルマ４４に連動連結され、外部からの電気信号に基づき、該切替えダルマ４４を回転させる切替制御部６５と、
を具備したことを特徴とする。
【００１６】
この施解錠装置１では、切替えダルマ４４が、出荷時等の通常の操作時以外の際に、一方の回転位置に配置されることで、スライドプレート２５に当接され、スライドプレート２５の回転阻止位置への移動が阻止される。従って、第一シリンダー錠５が回転規制されることがなくなり、第一シリンダー錠５のみで施解錠を行う、シングルロック状態となる。
一方、切替えダルマ４４が、引き渡し時等の通常の操作状態とする時に、他方の回転位置に配置されることで、スライドプレート２５に当接する位置から外れ、スライドプレート２５の回転阻止位置への移動が可能になる。従って、第一シリンダー錠５が施錠された際には、スライドプレート２５が第一シリンダー錠５の回転阻止位置に移動されるダブルロック状態となる。
また、遠隔操作など外部から電気信号を送ることで切替制御部６５を作動させ、これにより切替えダルマ４４を回転して、上記シングルロック状態とダブルロック状態を切り替えることが可能となる。
【００１７】
請求項６記載の施解錠装置は、一方の回転位置で前記スライドプレート２５に当接して該スライドプレートの前記回転阻止位置への移動を阻止する一方、他方の回転位置で前記スライドプレートに当接する位置から退避されて前記スライドプレートを前記回転阻止位置へ移動可能にする切替えダルマ４４と、
前記錠箱Ａの屋内側に設けられ、前記切替えダルマ４４に連動連結され、屋内側からのキーによる回転操作にて、該切替えダルマ４４を回転させる切替えシリンダー錠６７と、
を具備したことを特徴とする。
【００１８】
この施解錠装置１では、切替えダルマ４４が、出荷時等の通常の操作時以外の際に、キーにて切替えシリンダー錠６７を回転操作し一方の回転位置に配置されることで、スライドプレート２５に当接され、スライドプレート２５の回転阻止位置への移動が阻止される。従って、第一シリンダー錠５が回転規制されることがなくなり、第一シリンダー錠５のみで施解錠を行う、シングルロック状態となる。
一方、切替えダルマ４４が、引き渡し時等の通常の操作状態とする時に、キーにて切替えシリンダー錠６７を回転操作し他方の回転位置に配置されることで、スライドプレート２５に当接する位置から外れ、スライドプレート２５の回転阻止位置への移動が可能になる。従って、第一シリンダー錠５が施錠された際には、スライドプレート２５が第一シリンダー錠５の回転阻止位置に移動されるダブルロック状態となる。
【００１９】
請求項７記載の施解錠装置の操作方法は、扉３に錠箱Ａが設けられ、該錠箱Ａに前記扉３の前端面から進退されるロック部材が備えられた施解錠装置１の操作方法において、
屋外側からの施錠には、第一シリンダー錠５のみをキー操作することで前記ロック部材を突出させて施錠すると同時に、該第一シリンダー錠５の回転を規制してダブルロック状態に施錠し、
屋内側からの施錠には、サムターン４５のみを操作することで前記ロック部材を突出させて施錠すると同時に、該第一シリンダー錠５の回転を規制してダブルロック状態に施錠し、
屋外側からの解錠には、第二シリンダー錠７のキー操作によって前記第一シリンダー錠５の回転規制を解除した後、前記第一シリンダー錠５をキー操作して前記ロック部材を後退させて解錠し、
屋内側からの解錠には、前記サムターン４５のみの回転操作により前記第一シリンダー錠５の回転規制を解除すると同時に、前記ロック部材を後退させて解錠することを特徴とする。
【００２０】
この施解錠装置１の操作方法では、屋外側からの施錠時には、第一シリンダー錠５のみがキー操作されることで、この第一シリンダー錠５の回転が規制されてダブルロック状態に施錠される。屋内側からの施錠時には、サムターン４５のみが操作されることでダブルロック状態に施錠される。また、屋外側からの解錠時には、第二シリンダー錠７のキー操作によって、先ず、第一シリンダー錠５の回転規制が解除された後、第一シリンダー錠５をキー操作してロック部材を後退させて解錠される。屋内側からの解錠時には、サムターン４５のみの回転操作により第一シリンダー錠５の回転規制が解除されると同時に、ロック部材が後退されて解錠が可能となる。即ち、施錠時は、屋外側、屋内側からのいずれの場合においても、第一シリンダー錠５又はサムターン４５のみによってダブルロックが可能となる。一方、解錠時には、屋外側からは、第一シリンダー錠５及び第二シリンダー錠７の操作が必要になるのに対し、屋内側からは、サムターン４５のみにより一度に解錠が可能になる。
【００２１】
請求項８記載の施解錠装置の操作方法は、扉３に錠箱Ａが設けられ、該錠箱Ａに前記扉３の前端面から進退されるロック部材が備えられた施解錠装置１の操作方法において、
屋外側からの施錠には、第一シリンダー錠５のみをキー操作することで前記ロック部材を突出させて施錠すると同時に、該第一シリンダー錠５の回転を規制してダブルロック状態に施錠し、
屋内側からの施錠には、サムターン４５のみを操作することで前記ロック部材を突出させて施錠すると同時に、前記第一シリンダー錠５の回転を規制してダブルロック状態に施錠し、
屋外側からの解錠には、第二シリンダー錠７のキー操作によって前記第一シリンダー錠５の回転規制を解除した後、前記第一シリンダー錠５をキー操作して前記ロック部材を後退させて解錠し、
屋内側からの解錠には、前記サムターン４５のみの回転操作により前記第一シリンダー錠５の回転規制を解除すると同時に、前記ロック部材を後退させて解錠し、
施錠状態の際に、外部からの電気信号により前記サムターン４５が回転され、解錠とし、
解錠状態の際に、外部からの電気信号により前記サムターン４５が回転され、施錠とすることを特徴とする。
【００２２】
この施解錠装置１の操作方法では、屋外側からの施錠時には、第一シリンダー錠５のみがキー操作されることで、この第一シリンダー錠５の回転が規制されてダブルロック状態に施錠される。屋内側からの施錠時には、サムターン４５のみが操作されることでダブルロック状態に施錠される。また、屋外側からの解錠時には、第二シリンダー錠７のキー操作によって、先ず、第一シリンダー錠５の回転規制が解除された後、第一シリンダー錠５をキー操作してロック部材を後退させて解錠される。屋内側からの解錠時には、サムターン４５のみの回転操作により第一シリンダー錠５の回転規制が解除されると同時に、ロック部材が後退されて解錠が可能となる。即ち、施錠時は、屋外側、屋内側からのいずれの場合においても、第一シリンダー錠５又はサムターン４５のみによってダブルロックが可能となる。一方、解錠時には、屋外側からは、第一シリンダー錠５及び第二シリンダー錠７の操作が必要になるのに対し、屋内側からは、サムターン４５のみにより一度に解錠が可能になる。
また、外部からの電気信号を受けることで、サムターン４５が回転し、これにより、施錠状態を解錠とし、または解錠状態を施錠とする。すなわち、遠隔操作などにより、サムターン４５の回転を行え、施錠または解錠が可能となる。
【００２３】
請求項９記載の施解錠装置の操作方法は、扉３に錠箱Ａが設けられ、該錠箱Ａに前記扉３の前端面から進退されるロック部材が備えられた施解錠装置１の操作方法において、
屋外側からの施錠には、第一シリンダー錠５のみをキー操作することで前記ロック部材を突出させて施錠すると同時に、該第一シリンダー錠５の回転を規制してダブルロック状態に施錠し、
屋内側からの施錠には、屋内シリンダー錠６３のみをキー操作することで前記ロック部材を突出させて施錠すると同時に、前記第一シリンダー錠５の回転を規制してダブルロック状態に施錠し、
屋外側からの解錠には、第二シリンダー錠７のキー操作によって前記第一シリンダー錠５の回転規制を解除した後、前記第一シリンダー錠５をキー操作して前記ロック部材を後退させて解錠し、
屋内側からの解錠には、前記屋内シリンダー錠６３のみのキー操作により前記第一シリンダー錠５の回転規制を解除すると同時に、前記ロック部材を後退させて解錠することを特徴とする。
【００２４】
この施解錠装置１の操作方法では、屋外側からの施錠時には、第一シリンダー錠５のみがキー操作されることで、この第一シリンダー錠５の回転が規制されてダブルロック状態に施錠される。屋内側からの施錠時には、屋内シリンダー錠６３のみがキー操作されることでダブルロック状態に施錠される。また、屋外側からの解錠時には、第二シリンダー錠７のキー操作によって、先ず、第一シリンダー錠５の回転規制が解除された後、第一シリンダー錠５をキー操作してロック部材を後退させて解錠される。屋内側からの解錠時には、屋内シリンダー錠６３のみのキーの回転操作により第一シリンダー錠５の回転規制が解除されると同時に、ロック部材が後退されて解錠が可能となる。即ち、施錠時は、屋外側、屋内側からのいずれの場合においても、第一シリンダー錠５又は屋内シリンダー錠６３のみによってダブルロックが可能となる。一方、解錠時には、屋外側からは、第一シリンダー錠５及び第二シリンダー錠７の操作が必要になるのに対し、屋内側からは、屋内シリンダー錠６３のみにより一度に解錠が可能になる。
【００２５】
請求項１０記載の施解錠装置１の操作方法は、前記第一シリンダー錠５のキー操作を不能にするダブルロック状態への移行が規制されて前記第一シリンダー錠５のみのキー操作によって前記ロック部材を突出させて施錠するシングルロック状態の施解錠モードに保持され、
該シングルロック状態の施解錠モードを解除操作することによって前記ダブルロック状態の操作モードに移行されることを特徴とする。
【００２６】
この施解錠装置１の操作方法では、出荷時などの通常の操作時以外の際に、第一シリンダー錠５のキー操作を不能にするダブルロック状態への移行が規制されて、第一シリンダー錠５のみのキー操作によってロック部材を突出させて施錠するシングルロック状態の施解錠モードに保持される。一方、このシングルロック状態の施解錠モードが解除操作されると、ダブルロック状態の操作モードに移行され、第一シリンダー錠５のみによって施錠がなされた場合であっても、第二シリンダー錠７の操作が必要になる。
【００２７】
請求項１１記載の施解錠装置の操作方法は、屋内側からのキーによる操作を行って、前記第一シリンダー錠５のキー操作を不能にするダブルロック状態への移行が規制されて前記第一シリンダー錠５のみのキー操作によって前記ロック部材を突出させて施錠するシングルロック状態の施解錠モードに保持され、
屋内側からのキーによる操作を行って、該シングルロック状態の施解錠モードを解除操作することによって前記ダブルロック状態の操作モードに移行されることを特徴とする。
【００２８】
この施解錠装置１の操作方法では、出荷時などの通常の操作時以外の際に、屋内側からのキーによる操作を行うことで、第一シリンダー錠５のキー操作を不能にするダブルロック状態への移行が規制されて、第一シリンダー錠５のみのキー操作によってロック部材を突出させて施錠するシングルロック状態の施解錠モードに保持される。一方、屋内側からのキーによる操作を行うことで、このシングルロック状態の施解錠モードが解除されると、ダブルロック状態の操作モードに移行され、第一シリンダー錠５のみによって施錠がなされた場合であっても、第二シリンダー錠７の操作が必要になる。
【００２９】
請求項１２記載の施解錠装置の操作方法は、外部からの電気信号を受けることで、前記第一シリンダー錠５のキー操作を不能にするダブルロック状態への移行が規制されて前記第一シリンダー錠５のみのキー操作によって前記ロック部材を突出させて施錠するシングルロック状態の施解錠モードに保持され、
外部からの電気信号を受けることで、該シングルロック状態の施解錠モードを解除操作することによって前記ダブルロック状態の操作モードに移行されることを特徴とする。
【００３０】
この施解錠装置１の操作方法では、出荷時などの通常の操作時以外の際に、外部からの電気信号を受けることで、第一シリンダー錠５のキー操作を不能にするダブルロック状態への移行が規制されて、第一シリンダー錠５のみのキー操作によってロック部材を突出させて施錠するシングルロック状態の施解錠モードに保持される。一方、外部からの電気信号を受けることで、このシングルロック状態の施解錠モードが解除されると、ダブルロック状態の操作モードに移行され、第一シリンダー錠５のみによって施錠がなされた場合であっても、第二シリンダー錠７の操作が必要になる。
【００３１】
【発明の実施の形態】
以下、本発明に係る施解錠装置及びその操作方法の好適な実施の形態を図面を参照して詳細に説明する。
図１は本発明に係る施解錠装置の縦断面図、図２は図１の台座ユニットを屋内側から視た正面図、図３は図２におけるイ−イ線矢視図、図４は施解錠装置の要部分解斜視図である。
【００３２】
図１に示すように、施解錠装置１は、扉３に配設される錠箱Ａと、錠箱Ａに対して屋外側に取り付けられる台座ユニットＣと、錠箱Ａに対して屋内側に取り付けられるサムターンユニットＤとにより大別して構成される。
【００３３】
錠箱Ａは、例えば扉３の端部に内蔵され、錠箱Ａに固定された図示しないフロント板が扉３の木口（前端面）に露出して取り付けられる。この錠箱Ａ内には、図示しないロック部材が内蔵される。このロック部材は、後述の第一シリンダー錠、サムターンの操作によって、錠箱Ａに対しスライドし、扉３のフロント板から進退されるようになっている。つまり、扉枠に対しての施解錠を可能とする。ここでは、その具体的な機構の説明は省略する。
【００３４】
なお、このロック部材としては、扉枠側に取り付けられたガードアームに係止してドアチェーンと同様の働きをするガードボルト、主施錠手段となるデッドボルト、円弧状の可動軌跡を描いて突出されるカマデット、扉３の上端面或いは下端面から進退して扉枠に係合するロック手段等が含まれる。
【００３５】
台座ユニットＣには、第一シリンダー錠５と、第二シリンダー錠７とが上下に設けられる。第一，第二シリンダー錠５，７は、図４に示すキー９の挿入口が屋外側に露出する一方、キー操作により回転される図１の回転軸１１，１３が、台座ユニットＣの内部に突出されている。この第一，第二シリンダー錠５，７は、同一のキー９によって回転操作される。
【００３６】
第一シリンダー錠５の回転軸１１にはストッパーダルマ１５が相対回転不能に嵌合され、ストッパーダルマ１５は回転軸１１と一体回転する。ストッパーダルマ１５には、図６に示すように、軸心方向に突出する突起板１５ａと、円周から半径方向内側に切り欠かれた係合溝１５ｂとが設けられている。つまり、第一シリンダー錠５は、突起板１５ａが錠箱Ａ内に突出され、回転軸１１によって回転される突起板１５ａによって、錠箱Ａ内の機構を介してロック部材を錠箱Ａから進退可能としている。
【００３７】
ストッパーダルマ１５の外周には、リセットダルマ１７が相対回転自在に嵌合されている。リセットダルマ１７には、図７に示すように、軸心方向に突出する一対の凸部１７ａ，１７ａと、円周から半径方向に突出するリセット板１７ｂとが設けられている。リセットダルマ１７は、円環状に形成され、中央部で開口した穴部１７ｃにはストッパーダルマ１５の突起板１５ａが挿通される。また、リセットダルマ１７には、外周から半径方向内側へ凹んだ凹部１７ｄが形成されている。
【００３８】
第二シリンダー錠７の回転軸１３には副ダルマ１９が相対回転不能に嵌合され、副ダルマ１９は回転軸１３と一体回転する。副ダルマ１９には、図８に示すように、円周から直径方向に突出する押圧板１９ａが設けられている。押圧板１９ａには、副ダルマ１９の軸心と同方向に突出する小突起１９ｂが設けられている。
【００３９】
台座ユニットＣには、錠箱Ａと対向する面に図４に示す凹部２１が形成されている。上述のストッパーダルマ１５，リセットダルマ１７，副ダルマ１９は、この凹部２１内に配置される。凹部２１の底面と、これらのダルマとの間には、底板２３が設けられている。底板２３には、図５に示すように、ストッパーダルマ１５の円周に沿った穴部２３ａと、副ダルマ１９の円周に沿った穴部２３ｂと、軸穴２３ｃと、長穴２３ｄと、片側部を切り欠いた欠切部２３ｅとが設けられている。また、底板２３には、バネピン孔２３ｆが穿設され、バネピン孔２３ｆには底板２３の上面から図１４（ｆ）に示すクリックバネピン２７が嵌合されている。さらに、底板２３には、第一リリースピン穴２３ｇが穿設され、第一リリースピン穴２３ｇには底板２３の上面から図１４（ｅ）に示す第一リリースピン２８が嵌合されている。この底板２３は、四隅のビス孔２３ｈによって、凹部２１の底部に移動不能に固定される。
【００４０】
底板２３と、錠箱Ａとの間には、スライドプレート２５が平行に設けられている。スライドプレート２５は、凹部２１の内壁に両側端面が摺接され、凹部２１で上下方向（図２の上下方向）にスライドされるようになっている。なお、本明細書中では、スライドプレート２５の上方のスライド位置（図１５に示した位置）を回転阻止位置、スライドプレート２５の下方のスライド位置（図２に示した位置）を回転阻止位置から退避させた位置と称す。
【００４１】
図９に示すように、スライドプレート２５の上辺部には、リセット板１７ｂの回転軌跡に沿う逃げ部２５ａが切り欠かれている。逃げ部２５ａの下部には突起２５ｂが上方に突設されている。スライドプレート２５は、図１５に示す回転阻止位置で係合溝１５ｂに、この突起２５ｂを係合させて第一シリンダー錠５の回転を阻止し、図２に示す回転阻止位置から退避させた位置で突起２５ｂとストッパーダルマ１５との係合を解除して第一シリンダー錠５を回転自在とする。
【００４２】
図９に示すように、スライドプレート２５の右側辺部には、アーム溝２５ｃが切り欠かれている。スライドプレート２５の下辺部には、副ダルマ１９の円周に沿う中央切欠２５ｄが切り欠かれている。この中央切欠２５ｄの左部には凹部２５ｅ、右部には小突起用溝２５ｆが連続して切り欠かれている。また、スライドプレート２５にはアームピン孔２５ｈが穿設されている。さらに、スライドプレート２５には、底板２３の方向に向かって起立する二つの切り起こし２５ｊ、２５ｊが形成されている。また、スライドプレート２５には軸穴２５ｋが穿設されている。スライドプレート２５は、小突起用溝２５ｆが、副ダルマ１９の小突起１９ｂに押圧されることにより、回転阻止位置から退避させた位置に移動される。スライドプレート２５には長穴２５ｍが穿設され、長穴２５ｍには第一リリースピン２８が挿通される。さらに、スライドプレート２５には、図１４（ｄ）にしめす第二リリースピン４８が固着されている。
【００４３】
台座ユニットＣの凹部２１には図１４（ａ）に示す筒状の軸２９が、軸穴２３ｃ、軸穴２５ｋを貫通して立設されている（図１参照）。軸２９には、図２に示すスライドバネ３１の一端が支持され、スライドバネ３１の他端はスライドプレート２５の図中左側の切り起こし２５ｊに支持されている。つまり、スライドバネ３１は、台座ユニットＣとスライドプレート２５との間に亘って配設され、スライドプレート２５を上方向となる回転阻止位置に付勢するようになっている。
【００４４】
アームピン孔２５ｈにはスライドプレート２５の底板２３側の面から図１４（ｃ）に示す第一アームピン３３が嵌合されている。第一アームピン３３には図１０に示すアーム３５が回転自在に軸支されている。つまり、アーム３５は、スライドプレート２５と一体に移動される。アーム３５にはバネ座３５ａと、回転規制突起３５ｂとが設けられている。
【００４５】
アームピン３３には図２に示すアームバネ３７が装着される。アームバネ３７は、一端が右側の切り起こし２５ｊに掛止されるとともに、他端がバネ座３５ａに掛止される。アーム３５は、アームバネ３７によって、先端がスライドプレート２５の中央方向に回転するように付勢される。また、アーム３５は、回転規制突起３５ｂがスライドプレート２５のアーム溝２５ｃに当接することで所定位置で回転が規制されている。さらに、アーム３５の先端部には図１４（ｂ）に示す摺接ピン３６が嵌着されている。アーム３５に設けられた摺接ピン３６は、アーム３５がアームバネ３７によって付勢されることで、底板２３の欠切部２３ｅに摺接するようになっている。また、アーム３５の先端部は、略鉤状に形成される爪部３５ｃを有しており、副ダルマ１９の押圧板１９ａの下辺に係合する。
【００４６】
底板２３の第一リリースピン穴２３ｇに嵌合された第一リリースピン２８には、図１１に示すリリースプレート３８が回転自在に支持される。リリースプレート３８には、図２に示すリリースバネ４６の当接するバネ座３８ａと、第一リリースピン２８が挿入される支持穴３８ｂと、スライドプレート２５に固定された第二リリースピン４８に係合するＬ字状の曲溝３８ｃと、切替えダルマ係合部３８ｄと、リセットダルマ係合部３８ｅとが形成されている。
【００４７】
ストッパーダルマ１５，リセットダルマ１７，副ダルマ１９，底板２３，スライドプレート２５の収容された凹部２１は、図４に示すカバープレート３９によって塞がれる。カバープレート３９には、ストッパーダルマ１５、リセットダルマ１７を露出させる上部穴３９ａと、副ダルマ１９を露出させる下部穴３９ｂと、軸２９の中空穴と一致する固定孔３９ｃと、取付孔３９ｄとが穿設されている。カバープレート３９は、図１に示すように、固定穴３９ｃに挿通された皿ビス４１、取付孔３９ｄに挿通されたビスにより台座ユニットＣに固定される。
【００４８】
図１に示すように、サムターンユニットＤには屋内側に摘み部４５ａを露出させるサムターン４５が回転自在に設けられる。サムターン４５の摘み部４５ａには錠箱Ａ内に突出する軸４５ｂが固着される。サムターン４５は、回転させることにより、軸４５ｂを介して錠箱Ａ内の機構部を作動させ、ロック部材を扉３のフロント板から進退させ、施解錠を可能としている。また、軸４５ｂの解錠方向の回転は、錠箱Ａ内の機構部を介してリセットダルマ１７に伝達されるようになっている。つまり、スライドプレート２５は、上辺部が、サムターン４５により回転されるリセットダルマ１７のリセット板１７ｂに当接され、回転阻止位置から回転阻止位置から退避させた位置に移動されるようになっている。
【００４９】
サムターンユニットＤには、図１２に示す棒状の切替えボタン４２が設けられる。切替えボタン４２は、一端が屋内側に露出され、他端が錠箱Ａ内で図１３に示す切替えダルマ４４と係合されている。切替えボタン４２の一端には例えばマイナスドライバ等により回転が可能となる溝４２ａが形成される。また、切替えボタン４２の他端には偏平部４２ｂが形成され、切替えボタン４２はこの偏平部４２ｂが切替えダルマ４４に嵌入されて、切替えダルマ４４と相対回転不能となる。さらに、切替えボタン４２には爪４２ｃが設けられ、爪４２ｃは図１６（ａ），（ｂ）に示す回転規制バネ５４の孔５４ａに係合するようになっている。
【００５０】
この切替えボタン４２は、サムターンユニットＤの屋内側の面に露出穴を介して露出されるが、出荷時等には、不用意な操作が行われないようにするための目隠しテープやシール等によって封印されている。
【００５１】
切替えボタン４２に係合される切替えダルマ４４には、図１３に示すように、切替えボタン４２との係合部４４ａと、リリースプレート係合部４４ｂと、スライドプレート係合部４４ｃと、図２に示す切替えバネ５２の当接するバネ座４４ｄとが形成されている。
【００５２】
次に、このように構成される施解錠装置１の作用を説明する。
施解錠装置１は、出荷時には、図２に示すように、切替えダルマ４４が図中反時計回り方向に９０°回転されて配置されたコンス状態とされる。この状態では、切替えダルマ４４のスライドプレート係合部４４ｃがスライドプレート２５の中央切欠２５ｄ下縁に当接し、スライドプレート２５を回転阻止位置から退避させた位置である下側に保持させる。つまり、スライドプレート２５は、回転阻止位置への移動が阻止されている。
また、スライドプレート２５が下側に保持されている状態であり、アーム３５の先端の爪部３５ｃが副ダルマ１９の押圧板１９ａの下辺に係合し、この副ダルマ１９の回転を阻止し、すなわち、この第二シリンダー錠７の操作が不能状態とされる。
【００５３】
この状態では、施解錠装置１は、第一シリンダー錠５又はサムターン４５のみによる施解錠（シングルロック）が可能となる。
【００５４】
一方、引渡後、まず、屋内側において、封印されている切替えボタン４２のシール等を剥離し、切替えボタン４２の操作を可能とする。切替えボタン４２が図中時計回り方向へ９０°回転されると、切替えダルマ４４が同様に時計回り方向へ９０°回転され、図１５に示すダブルロック位置に配置される。
ダブルロックへ回転された切替えボタン４２は、図１６（ｂ）に示すように、爪４２ｃが回転規制バネ５４の孔５４ａに係合して、回転が規制されることとなる。なお、この係合状態は容易に解かれることはなく、切替えボタン４２の機能は無効となり、すなわち、建物引渡し後の通常動作となる。
【００５５】
切替えダルマ４４がダブルロック位置に配置されると、切替えダルマ４４のスライドプレート係合部４４ｃがスライドプレート２５の凹部２５ｅに配置され、スライドプレート２５の上下方向の移動規制を解除する。これと同時に、切替えダルマ４４のリリースプレート係合部４４ｂがリリースプレート３８の切替えダルマ係合部３８ｄを押圧し、リリースプレート３８を反時計回り方向へ回転させる。リリースプレート３８が反時計回り方向へ回転されると、第二リリースピン４８と曲溝３８ｃとの係合が解除され、スライドプレート２５がスライドバネ３１の付勢力によって上方、即ち、回転阻止位置へスライドされる。また、移動するスライドプレート２５によりアーム３５は底板２３の欠切部２３ｅと摺接ピン３６とにより副ダルマ１９との係合状態が解かれる。
【００５６】
そして、スライドプレート２５が回転阻止位置へ移動されると、スライドプレート２５の突起２５ｂが係合溝１５ｂに係合され、第一シリンダー錠５の回転が阻止される。つまり、図１５に示すダブルロック施錠状態となる。
【００５７】
従って、施解錠装置１は、出荷時に、第一シリンダー錠５のキー操作を不能にするダブルロック状態への移行が規制されて、第一シリンダー錠５のみのキー操作によってロック部材を突出させて施錠するシングルロック状態の施解錠モードに保持されるが、切替えボタン４２を回転することにより、このシングルロック状態の施解錠モードを解除操作することで、ダブルロック状態の操作モードに移行されることになる。
【００５８】
次に、このダブルロック状態での屋外側、屋内側からの施解錠について説明する。図１５はダブルロック施錠状態を示す図、図１７はダブルロック解錠状態を示す図である。
屋外側からの施錠には、第一シリンダー錠５のみを、キーにて操作することで行われる。
第一シリンダー錠５がキー操作されると、錠箱Ａのロック部材が突出されて施錠されると同時に、キーの回転操作によりストッパーダルマ１５とリセットダルマ１７とが回転して、リリースプレート３８とリセットダルマ１７との係合状態が解かれ、これによりスライドプレート２５に対してスライドバネ３１の付勢力が働くが、図１８に示すように、リセットダルマ１７によりスライドプレート２５は上昇移動しない。そして、キーを第一シリンダー錠５から抜脱するために、施錠方向とは逆に９０°回転させることで、図１５に示すように、スライドプレート２５は上昇移動しで回転阻止位置に移動され、第一シリンダー錠５の回転を規制するダブルロック状態となる。すなわち、第一シリンダー錠５は、施錠操作時、９０°回転させて施錠を行った後、９０°戻すことによって回転が規制されて固定状態となる。
【００５９】
屋内側からの施錠には、サムターン４５のみの操作となる。解錠状態からサムターン４５が操作されると、錠箱Ａのロック部材が突出されて施錠されると同時に、スライドプレート２５がスライドバネ３１の付勢力によって、回転阻止位置に移動され、第一シリンダー錠５の回転を規制するダブルロック状態となる。
【００６０】
屋外側からの解錠には、第一のシリンダー錠５は操作不能な状態とされ、第二のシリンダー錠７を、まず操作することとなる。
第二シリンダー錠７がキー操作されると、副ダルマ１９が図中時計回り方向に回転され、小突起１９ｂがスライドプレート２５を押下して回転阻止位置から退避させた位置へ移動させる。
スライドプレート２５がこの位置に移動されると、スライドプレート２５の第二リリースピン４８がリリースプレート３８の曲溝３８ｃに入り込むと同時に、リリースプレート３８のリセットダルマ係合部３８ｅがリセットダルマ１７の凹部１７ｄに係合して（図２参照）、スライドプレート２５が回転阻止位置から退避させた位置に保持される。即ち、これにより、第一シリンダー錠５の回転規制が解除される。
【００６１】
次いで、第一シリンダー錠５がキー操作され、ロック部材が後退されて解錠が完了する。
【００６２】
屋内側からの解錠には、サムターン４５のみが回転操作されると、サムターン４５と共に回転されるリセットダルマ１７がスライドプレート２５を回転阻止位置から退避させた位置へ移動させると同時に、第一シリンダー錠５を回転させて、一度に、ダブルロック状態が解錠される。
【００６３】
なお、解錠状態においては、、第二シリンダー錠７は、アーム３５が副ダルマ１９に係止していることで、回転が不能となり、すなわち、第一シリンダー錠５による施錠操作のみ受け付けることとなる。
【００６４】
また、第一シリンダー錠５が施錠方向に４５°回転されると、ガードロック状態となる。この場合には、スライドプレート２５は移動されず、ダブルロック状態とはならない。従って、第二リリースピン４８は、固定されたままで操作不能状態となる。第一シリンダー錠５がガードロック状態からさらに４５°回転されると、ダブルロック状態に施錠される。
【００６５】
従って、この施解錠装置１及びその操作方法によれば、屋内側からは一つのサムターン４５で施解錠ができ、屋外側からは、施錠時は一つの第一シリンダー錠５を操作し、解錠時は二つのシリンダー（第二シリンダー錠７，第一シリンダー錠５）を操作して施解錠ができる。この結果、防犯性能、利便性の向上を達成できる。
【００６６】
なお、上述した実施の形態では、屋内側で施錠及び解錠の操作を行う構成として、サムターン４５を設け、このサムターン４５の回転操作にて、すなわち人の手の回転操作のみにてロック部材の進退が行われる構成として説明したが、図１９に示すように、サムターン４５の軸４５ｂの中途に、回転制御部６１を設け、この回転制御部６１によってもサムターン４５を回転させる構成としてもよい。この回転制御部６１とサムターン４５との組合せは、所謂電動サムターンを構成しており、すなわち、手動による回転操作の他に外部からの電気信号により回転制御部６１がサムターン４５を回転させ、施錠または解錠を行う。
【００６７】
回転制御部６１は、図示しないが、モータ，減速歯車，クラッチやラチェット機構，ソレノイドなどより構成され、サムターン４５の中途部分に連動連結されて、施解錠装置１の外部、例えば、扉表面に設けられるスイッチや、扉以外の外部に設けられる制御回路より、有線、若しくは無線にて信号を受け取り、駆動し、サムターン４５の回転を行う。回転制御部６１への外部から送られる信号としては、上記したスイッチ操作によるもの以外に、例えば、扉を閉めた状態を検知した後に所定の時間経過を検知し、回転制御部６１に施錠を行う信号を送る例や、火災などの災害や非常時に施錠状態を解除して扉の開放を自由にするための解錠を行う信号を送る例などがある。
そして、サムターン４５が回転制御部６１により回転させられることで、施錠状態であるロック部材の突出状態から解錠状態であるロック部材の後退状態、または解錠状態であるロック部材の後退状態から施錠状態であるロック部材の突出状態へと作動させる。
【００６８】
従って、この施解錠装置１によれば、屋外側からの施錠、及び解錠の操作は、上述した実施の形態と同様、施錠時には第一シリンダー錠５のみをキーにて回転操作することで行われ、解錠時には第二シリンダー錠７をキーにて操作した後、第一シリンダー錠をキーにて操作することで行われる。また、屋内側からの施錠、及び解錠の操作においても、上記同様、サムターン４５のみの回転操作で施錠及び解錠が行われる。そして、これら手動による操作以外に、施錠忘れや非常時における解錠の際に、外部からの電気信号が回転制御部６１に送られることで、この回転制御部６１がサムターン４５を回転させ、施錠や解錠が行われる。
【００６９】
また、上述した実施の形態では、屋内側にて行われる施錠操作及び解錠操作がサムターン４５によるものであるが、図２０に示すように、サムターンに替えて屋内側にシリンダー錠６３を設け、この屋内シリンダー錠６３にて施解錠の操作を行う構成としてもよい。
すなわち、屋内側にて行う施解錠の操作において、屋内シリンダー錠６３に対しキーを用いて回転操作を行うことで施錠及び解錠の操作を行うこととなる。
【００７０】
なお、この屋内シリンダー錠６３は、屋外側である第一シリンダー錠５及び第二シリンダー錠７と同じ構造構成のシリンダー錠としてもよく、その場合、屋外、屋内で使用するキーを同じものである１つのキーで施解錠の操作が行え、また、屋外側の第一，第二シリンダー錠５，７とは別構成で例えば全く構造等の異なるシリンダー錠にて構成してもよく、その場合には、屋外側用のキーと、屋内側のキーの二本のキーで施解錠の操作を行うこととなる。
【００７１】
従って、この施解錠装置１によれば、屋外側からの施錠、及び解錠の操作は、上述した実施の形態と同様、施錠時には第一シリンダー錠５のみをキーにて回転操作することで行われ、解錠時には第二シリンダー錠７をキーにて操作した後、第一シリンダー錠をキーにて操作することで行われる。また、屋内側からの施錠、及び解錠の操作においては、屋内シリンダー錠６３にキーを使用して回転操作を行い、施錠及び解錠が行われる。
このような屋内側からの施解錠の操作にキーを用いる構成としたことで、屋内側にサムターンの摘み部などの突出構造が存在しないこととなり、扉や扉周辺の小窓などから針金などを挿入されたり、手を差し入れるなどして行われる不正な行為による解錠操作が不可能となり、防犯性が向上することとなる。
【００７２】
さらに、上述した実施の形態では、シングルロック状態とダブルロック状態との切替えを行う切替えダルマ４４を、この切替えダルマ４４に係合して屋内側に表出する棒状の切替えボタン４２にて操作を行う構成として説明したが、図２１に示すように、屋内側に表出せず、サムターンユニットＤ内部に配置する切替制御部６５にて切替えダルマ４４を回転させる構成としてもよい。
この切替制御部６５は、例えばソレノイドにて構成され、外部からの電気信号に基づき駆動軸６５ａを回転する構成とされ、この駆動軸６５ａを切替えダルマ４４に係合させる。そして、切替制御部６５の作動により回転する駆動軸６５ａにより切替えダルマ４４を回転させることで、シングルロック状態とダブルロック状態の切替えを行う。
切替制御部６５に送られる外部からの信号は、上述した実施の形態と同様に、出荷時の状態と引渡後の状態とを切替える際や、施解錠装置としてシングルロック状態の施解錠装置とダブルロック状態の施解錠装置とを適宜切り替える際などに、例えば図示しない制御部より発信される信号であり、有線によるものや無線によるものなどである。
【００７３】
従って、この施解錠装置１によれば、屋外側からの施解錠操作が第一シリンダー錠５のみであるシングルロックの状態と、屋外側から第一，第二シリンダー錠５，７の２つのシリンダー錠を操作することにより施解錠となるダブルロック状態との切替えを、外部からの電気信号にて行うことが可能となり、出荷時における施解錠の操作モードと、通常使用時における施解錠の操作モードとを切り替えることが可能となる。また、切替えを行う駆動部分が屋内側面に表出せず、このことから不用意な切り替え操作を行われることがなくなる。さらに、このような切替えを外部から操作できることから、例えば、昼間や在宅時における施解錠状態をシングルロック状態とし、夜間や不在時においてはダブルロック状態とするなど、使用状態において施解錠操作の手数を容易に切り替えることが可能となる。
【００７４】
また、図２２に示すように、上記した切替制御部６５と上述した実施の形態での切替えボタン４２と同様の構造の切替えボタン４２’を組み合わせる構成としてもよい。
すなわち、切替えダルマ４４に係合する棒状の切替えボタン４２’を屋内側面に表出する構成とするとともに、その中途部分にモータ，減速歯車，クラッチやラチェット機構，ソレノイドなどより構成される切替制御部６５を連動連結し、屋内側からの手動による切替操作と、外部からの電気信号に基づいて切り替える操作との両方を兼ね備えた構成とする。なお、この構成における切替えボタン４２’は、上述した実施の形態のように爪４２ａと回転規制バネ５４との構成は省略され、すなわち規制されることなく機能が無効になることはない構成とする。そして、通常の使用状態としては、切替えボタン４２には、上述した実施の形態と同様に、シールなどが貼着されて封印状態とされ、容易に操作されないようになっている。
【００７５】
このような構成によれば、上記同様に、屋外側からの施解錠操作が第一シリンダー錠５のみであるシングルロックの状態と、屋外側から第一，第二シリンダー錠５，７の２つのシリンダー錠を操作することにより施解錠となるダブルロック状態との切替えを、外部からの電気信号にて行うことが可能となるとともに、手動操作によっても可能となり、出荷時における施解錠の操作モードと、通常使用時における施解錠の操作モードとを切り替えることが可能となる。このような切替えを外部から操作できることから、例えば、昼間や在宅時における施解錠状態をシングルロック状態とし、夜間や不在時においてはダブルロック状態とするなど、使用状態において施解錠操作の手数を容易に切り替えることが可能となる。また、不用意な切り替え操作を行われた場合にも、切替えを行う駆動部分である切替制御部６５が屋内側面に表出せず設けられることから、切替え操作を再び行うことが可能となる。
【００７６】
さらに、上述した実施の形態では、シングルロック状態とダブルロック状態との切替えを行う切替えダルマ４４を、この切替えダルマ４４に係合して屋内側に表出する棒状の切替えボタン４２にて操作を行う構成として説明したが、図２３に示すように、この切替えボタン４２に替えて切替えシリンダー錠６７にて切替える構成としてもよい。
この切替えシリンダー錠６７は、第一シリンダー錠５及び第二シリンダー錠７とは別構成で例えば全く構造等の異なるシリンダー錠にて構成され、この場合、屋外側用の施解錠のためのキーと、シングルロックとダブルロックとの切替え用のキーとの二本のキーで構成されることとなる。
【００７７】
なお、切替えシリンダー錠６７は、第一，第二シリンダー錠５，７と同じ構造構成のシリンダー錠としてもよく、その場合、１つのキーで施解錠の操作とモード切替えの操作が行えるととなる。
また、図２３に示すように、この切替えシリンダー錠６７は、先端の回転軸部が切替えダルマ４４に係合する構成とされる。
【００７８】
従って、この施解錠装置１によれば、屋外側からの施解錠操作が第一シリンダー錠５のみであるシングルロックの状態と、屋外側から第一，第二シリンダー錠５，７の２つのシリンダー錠を操作することにより施解錠となるダブルロック状態との切替えを、キーを用いて切替えシリンダー錠６７を操作し切替えダルマ４４を回転することで可能となり、出荷時における施解錠の操作モードと、通常使用時における施解錠の操作モードとを切り替えることが可能となる。また、切替えを行う構成がキーを使用することが必須であるシリンダー錠であり、このことから不用意な切り替え操作を行われることがなくなる。
【００７９】
【発明の効果】
以上詳細に説明したように、本発明に係る施解錠装置によれば、ロック部材を進退させて施解錠を行う第一シリンダー錠と、第一シリンダー錠の施錠キー操作に連動して第一シリンダー錠の回転を阻止するスライドプレートと、スライドプレートを第一シリンダー錠の回転阻止位置から退避させる第二シリンダー錠と、施錠回転操作によりロック部材を突出させ且つスライドプレートを第一シリンダー錠の回転阻止位置に移動させる一方、解錠回転操作によりスライドプレートを回転阻止位置から退避させ且つロック部材を後退させるサムターンとを設けたので、屋内側からは一つのサムターンで施解錠ができ、屋外側からは、施錠時は一つのシリンダーを操作してダブルロック状態にでき、解錠時は二つのシリンダーの操作を必要にさせることができる。この結果、施解錠装置における防犯性能及び利便性を同時に向上させることができる。
【００８０】
また、サムターンに連動連結され、外部からの電気信号に基づいてサムターンの回転を行う回転制御部を具備させたことにより、施錠忘れや非常時などの際に、施錠及び解錠を行うことが可能となり、手動によるサムターンの回転での施解錠に加え、遠隔操作などによる施解錠を行うことを可能とする。
【００８１】
さらに、屋内側の施解錠の操作を行うサムターンに代え屋内シリンダー錠を構成した施解錠装置によれば、屋内における施解錠の操作においても、キーを使用することとなり、これにより屋内面にはサムターンの摘み部などが突出しない構造となり、扉や扉周辺の小窓などから針金を挿入されたり、手を差し入れるなどして行われる不正な行為による解錠操作を無効とすることができ、防犯性を向上させることが可能となる。
【００８２】
また、本発明の施解錠装置によれば、切替えダルマを具備した構成とすることで、例えば出荷時や建築施工中などの通常の操作時以外の際と、引渡し後の通常の操作状態との切替えなど、屋外側からの施解錠操作が第一シリンダー錠のみであるシングルロックの状態と、屋外側から第一，第二シリンダー錠の２つのシリンダー錠を操作することにより施解錠となるダブルロック状態とのモード切替えを行なうことができる。
【００８３】
さらに、上記切替えダルマに切替制御部を連動連結させる構成とすることで、外部からの電気信号に基づいて、上記した操作モードの切替えを容易に行うことが可能となる。これにより、例えば、昼間や在宅時における施解錠状態をシングルロック状態とし、夜間や不在時においてはダブルロック状態とするなど、使用状態において施解錠操作の手数を容易に切り替えることが可能となる。
【００８４】
また、上記切替えダルマに切替えシリンダー錠を連動連結する構成とすることで、上記したシングルロックの状態と、ダブルロック状態との切替えを、キーを用いて切替えシリンダー錠を操作し切替えダルマを回転することで可能となり、例えば出荷時における施解錠の操作モードと、通常使用時における施解錠の操作モードとを切り替えることが可能となる。また、切替えを行う構成がキーを使用することが必須であるシリンダー錠であり、このことから不用意な切り替え操作を行われることがなくなる。
【００８５】
本発明に係る施解錠装置の操作方法によれば、屋外側からの施錠には、第一シリンダー錠のみをキー操作することでこの第一シリンダー錠の回転を規制してダブルロック状態に施錠し、屋内側からの施錠には、サムターンのみを操作することでダブルロック状態に施錠することができる。また、屋外側からの解錠には、第二シリンダー錠のキー操作によって第一シリンダー錠の回転規制を解除した後、第一シリンダー錠をキー操作してロック部材を後退させて解錠し、屋内側からの解錠には、サムターンのみの回転操作により第一シリンダー錠の回転規制を解除すると同時に、ロック部材を後退させて解錠することができる。この結果、施解錠装置における防犯性能及び利便性を同時に向上させることができる。
【００８６】
また、外部からの電気信号に基づいてサムターンが回転し、施解錠を行うことにより、遠隔操作などにてこの施解錠装置の施錠、及び解錠を行うことが可能となる。
【００８７】
さらに、屋内シリンダー錠を構成することで、施錠時は、屋外側、屋内側からのいずれの場合においても、第一シリンダー錠又は屋内シリンダー錠のみによってダブルロックが可能となる。一方、解錠時には、屋外側からは、第一シリンダー錠及び第二シリンダー錠の操作が必要になるのに対し、屋内側からは、屋内シリンダー錠のみにより一度に解錠が可能となる。
【００８８】
また、本発明の施解錠装置の操作方法によれば、出荷時などの通常の操作時以外の際に、第一シリンダー錠のキー操作を不能にするダブルロック状態への移行が規制されて、第一シリンダー錠のみのキー操作によってロック部材を突出させて施錠するシングルロック状態の施解錠モードに保持することができ、一方、このシングルロック状態の施解錠モードが解除操作されると、ダブルロック状態の操作モードに移行され、第一シリンダー錠のみによって施錠がなされた場合であっても、第二シリンダー錠の操作が必要になる施解錠モードとすることができる。これにより、例えば、出荷時や建築施工中などの通常の操作時以外の際と、引渡し後の通常の操作状態との切替えなど、施解錠装置の施解錠の手順を切り替えることができる。
【００８９】
さらに、上記のような切替え操作を、屋内側からのキーによる操作とすることで、シングルロックとダブルロックの２つの施解錠モードの切替えを、キーを必須とする操作手順とし、容易に切替え操作を行えないようにすることが可能となる。
【００９０】
また、上記のような切替え操作を、外部からの電気信号に基づいて行う方法とすることで、例えば、昼間や在宅時における施解錠状態をシングルロック状態とし、夜間や不在時においてはダブルロック状態とするなど、使用状態において施解錠操作の手数である操作モードを容易に切り替えることが可能となる。
【図面の簡単な説明】
【図１】本発明に係る施解錠装置の縦断面図である。
【図２】図１の台座ユニットを屋内側から視た正面図である。
【図３】図２におけるイ−イ線矢視図である。
【図４】施解錠装置の要部分解斜視図である。
【図５】底板の拡大斜視図である。
【図６】ストッパーダルマの拡大斜視図である。
【図７】リセットダルマの拡大斜視図である。
【図８】副ダルマの拡大斜視図である。
【図９】スライドプレートの拡大斜視図である。
【図１０】アームの拡大斜視図である。
【図１１】リリースプレートの拡大斜視図である。
【図１２】切替えボタンの拡大斜視図である。
【図１３】切替えダルマの拡大斜視図である。
【図１４】（ａ）〜（ｆ）各種ピンを示した拡大側面図である。
【図１５】本発明に係る施解錠装置のダブルロック状態時における施錠状態を示す縦断面図である。
【図１６】（ａ）コンス状態の切替えダルマを示した正面図である。
（ｂ）ダブルロック状態の切替えダルマを示した正面図である。
【図１７】本発明に係る施解錠装置のダブルロック状態時における解錠状態を示す縦断面図である。
【図１８】本発明に係る施解錠装置のダブルロック状態時における施錠操作を示す縦断面図である。
【図１９】他の実施の形態による施解錠装置の縦断面図である。
【図２０】他の実施の形態による施解錠装置の縦断面図である。
【図２１】他の実施の形態による施解錠装置の縦断面図である。
【図２２】他の実施の形態による施解錠装置の縦断面図である。
【図２３】他の実施の形態による施解錠装置の縦断面図である。
【符号の説明】
１…施解錠装置
３…扉
５…第一シリンダー錠
７…第二シリンダー錠
９…キー
２５…スライドプレート
４４…切替えダルマ
４５…サムターン
６１…回転制御部
６３…屋内シリンダー錠
６５…切替制御部
６７…切替えシリンダー錠
Ａ…錠箱
【図１】
0003903414.tif 000002
【図２】
0003903414.tif 000003
【図３】
0003903414.tif 000004
【図４】
0003903414.tif 000005
【図５】
0003903414.tif 000006
【図６】
0003903414.tif 000007
【図７】
0003903414.tif 000008
【図８】
0003903414.tif 000009
【図９】
0003903414.tif 000010
【図１０】
0003903414.tif 000011
【図１１】
0003903414.tif 000012
【図１２】
0003903414.tif 000013
【図１３】
0003903414.tif 000014
【図１４】
0003903414.tif 000015
【図１５】
0003903414.tif 000016
【図１６】
0003903414.tif 000017
【図１７】
0003903414.tif 000018
【図１８】
0003903414.tif 000019
【図１９】
0003903414.tif 000020
【図２０】
0003903414.tif 000021
【図２１】
0003903414.tif 000022
【図２２】
0003903414.tif 000023
【図２３】
0003903414.tif 000024